(57)【要約】フレキシブルで再密閉できるパッケージ（１０）は、パッケージを取り囲む壁を含む。取り囲む壁は、第一サイドパネル（１２）と第一サイドパネルに相対する第二サイドパネル（１４）を含む。再密閉できるジッパー（２０）は、パッケージの選択的な開閉のために口（２１）に沿って取りつけられる。再密閉できるジッパー（２０）は、第一（２２）と第二（２４）のクロージャー要素間に延在する、第二サイドパネル（１４）を備える第一（２２）と第二（２４）のクロージャー要素を含む。第二サイド要素は、第二サイドパネル（１４）の残存部分よりも弱い剪断強度を有する断裂領域（５２）を含む。操作及び製造方法が記載される。
2004503440.tif 000002
【特許請求の範囲】
【請求項１】
（ａ）パッケージ内部を定義して口を有するパッケージを取り囲む壁であって、ここで前記口は前記パッケージ内部へのアクセスを提供し、前記取り囲む壁は第一サイドパネル及び前記第一サイドパネルに相対する第二サイドパネルを含むことが特徴の壁と；並びに
（ｂ）（ｉ）第一クロージャープロファイルと；
（ｉｉ）第二クロージャープロファイルと；及び
（ｉｉｉ）前記第一クロージャープロファイルと前記第二クロージャープロファイルとの間に延在する前記第二サイドパネルであって、ここで前記第二サイドパネルは前記第一クロージャープロファイルと前記第二クロージャープロファイルとの間に位置する断裂領域を含有し、前記断裂領域は前記第二サイドパネルの残存部分よりも弱い剪断強度を有することが特徴の第二サイドパネル、
含む前記口の選択的な開閉のための前記口に沿った再密閉できるジッパーと、
を含有することを特徴とするフレキシブルパッケージ。
【請求項２】
前記断裂領域は、前記第二サイドパネルの残存部分の厚さよりも薄い厚さを有することを特徴とする請求項１に記載のフレキシブルパッケージ。
【請求項３】
前記第二サイドパネルの残存部分の前記厚さに対する前記断裂領域の前記厚さの比が１：１．５乃至１：１０であることを特徴とする請求項１に記載のフレキシブルパッケージ。
【請求項４】
前記第二サイドパネルは複数の層を含むことを特徴とする請求項１に記載のフレキシブルパッケージ。
【請求項５】
（ａ）前記第一クロージャープロファイルが前記第一クロージャープロファイルの第一末端に位置するシーリングフランジ及び前記第一クロージャープロファイルの第二末端に位置する末端フランジを有することと；及び
（ｂ）前記第二クロージャープロファイルが前記第二クロージャープロファイルの第一末端に位置するシーリングフランジ及び前記第二クロージャープロファイルの第二末端に位置する末端フランジを有すること、
を特徴とする請求項１に記載のフレキシブルパッケージ。
【請求項６】
前記第二サイドパネルが、前記第一クロージャープロファイル及び前記第二クロージャープロファイルの前記シーリングフランジ間に延在することを特徴とする請求項５に記載のフレキシブルパッケージ。
【請求項７】
（ａ）前記第一クロージャープロファイルの前記シーリングフランジが内部及び外部表面を有し、
（ｂ）前記第二クロージャープロファイルの前記シーリングフランジが内部及び外部表面を有し、並びに
前記フレキシブルパッケージはさらに
（ｉ）前記第一クロージャープロファイルのシーリングフランジの前記内部表面に配置される第一シーリング層と、
（ｉｉ）前記第二クロージャープロファイルのシーリングフランジの前記内部表面に配置される第二シーリング層と、及び
（ｉｉｉ）前記第一クロージャープロファイルのシーリングフランジの前記内部表面に配置される第三のシーリング層と
を含むことを特徴とする請求項６に記載のフレキシブルパッケージ。
【請求項８】
非シーリング層が前記第三のシーリング層に対する前記第二クロージャープロファイルのシーリングフランジの前記内部表面に位置することを特徴とする請求項７に記載のフレキシブルパッケージ。
【請求項９】
（ａ）前記第一クロージャープロファイルの前記シーリングフランジが内部及び外部表面を有し、
（ｂ）前記第二クロージャープロファイルの前記シーリングフランジが内部及び外部表面を有し、並びに
前記フレキシブルパッケージはさらに
（ｉ）前記第一クロージャープロファイルのシーリングフランジの前記外部表面に配置される第一シーリング層と、
（ｉｉ）前記第二クロージャープロファイルのシーリングフランジの前記内部表面に配置される第二シーリング層と、及び
（ｉｉｉ）前記第一クロージャープロファイルのシーリングフランジの前記内部表面に配置される第三シーリング層と
を含むことを特徴とする請求項６に記載のフレキシブルパッケージ。
【請求項１０】
非シーリング層が前記第三のシーリング層に対する前記第二クロージャープロファイルのシーリングフランジの前記内部表面に位置することを特徴とする請求項９に記載のフレキシブルパッケージ。
【請求項１１】
前記第一サイドパネルが、前記第一及び第三シーリング層に配置され、前記第二サイドパネルが前記非シーリング層に対する前記第一サイドパネルに配置されることを特徴とする請求項８に記載のフレキシブルパッケージ。
【請求項１２】
ウェブ配置は、前記第一クロージャープロファイル及び前記第二クロージャープロファイルの前記末端フランジ間で延在することを特徴とする請求項５に記載のフレキシブルパッケージ。
【請求項１３】
前記再密閉できるジッパーに操作しやすく取りつけられたスライダー装置をさらに含み、前記スライダー装置が第一方向に移動する場合に、前記スライダー装置は前記第一クロージャープロファイルと前記第二クロージャープロファイルが連結するために構成して且つ配置され、前記スライダー装置が第二反対方向に移動する場合に、前記スライダー装置は前記第二クロージャープロファイルから前記第一クロージャープロファイルを解放するために構成して且つ配置されることを特徴とする請求項１に記載のフレキシブルパッケージ。
【請求項１４】
（ａ）第一サイドパネルと前記第一サイドパネルに相対する第二サイドパネルとによって定義される内部を備えるパッケージを提供する段階と、及び再密閉できる口と前記口を開閉するための再密閉できるジッパー配置を有する段階であって、ここで前記ジッパー配置は第一クロージャープロファイルと第二クロージャープロファイルを含有し、前記第二サイドパネルは前記パッケージ内部へのアクセスを防御する前記第一及び第二クロージャープロファイル間で延在し、前記第二サイドパネルは前記第一及び第二クロージャープロファイル間の断裂領域を含有する前記第一及び第二クロージャープロファイル間で延在し、前記断裂領域は前記第二サイドパネルの残存部分よりも弱い剪断強度を有することと、並びに
（ｂ）前記断裂領域に食い込む段階と
を含有することを特徴とする再密閉できるパッケージの使用方法。
【請求項１５】
パッケージを提供する前記段階は前記第一及び第二クロージャープロファイルの第一及び第二末端端部間で延在するウェブ配置を有するパッケージを提供することを含み、さらに
（ａ）前記断裂領域に食い込む段階以前に、前記再密閉できるジッパーを解放し前記口を開けるためにウェブ配置を食い込む段階
を含有することを特徴とする請求項１４に記載の方法。
【請求項１６】
ジッパークロージャー、スライダー装置、及び前記ジッパークロージャーと前記パッケージの内部との間に位置する開封済であることを証明する構造を含有する再密閉できるパッケージの製造方法であって、該方法は、
（ａ）第一クロージャープロファイルと第二クロージャープロファイルを有するジッパークロージャーを提供することと、
（ｂ）前記第一クロージャープロファイルを第一サイドパネルに付することと、
（ｃ）第二サイドパネルは、開封済であることを証明する構造を提供するために、前記第一クロージャープロファイルと前記第二クロージャープロファイルに付することと、及び
（ｄ）前記再密閉できるパッケージを提供するために前記ジッパークロージャーにスライダー装置を操作可能に取りつけることあって、ここで前記スライダー装置が第一方向に移動する場合に、前記スライダー装置は前記第一クロージャープロファイルと前記第二クロージャープロファイルが連結するために構成して且つ配置され、前記スライダー装置が第二反対方向に移動する場合に、前記スライダー装置は前記第二クロージャープロファイルから前記第一クロージャープロファイルを解放するために構成して且つ配置されること、
を含有することを特徴とする製造方法。
【発明の詳細な説明】
【０００１】
この開示は、一般的に、プラスチックバックなどのポリマーパッケージのためのクロージャー配置に関する。より詳細には、この開示は、開封済であることを証明する構造（ｔａｍｐｅｒ−ｅｖｉｄｅｎｔ　ｓｔｒｕｃｔｕｒｅ）を備える再密閉できるパッケージについて記述する。
【０００２】
形成、充満、及び密封技術は、消費可能な品物を包装する方法としてパッケージング産業に周知である。パッケージが最初に開かれた場合、完全に使用されない消費可能な品物は、パッケージを再び閉めて、かつ残りの内容物を新鮮にしておくために、ジッパークロージャーに依存する。ジッパークロージャーを備えるパッケージ内に頻繁に包装される消費可能な品物の具体例は、鉢植え用土、肥料、ペットフード、ドッグビスケット、及び人間の多くの多岐にわたる食料品である。
【０００３】
しばしば、ジッパークロージャーの開閉はジッパークロージャーに取りつけられているスライダー装置によって容易である。スライダー装置は、ジッパーに沿った第一方向へ移動される場合に、連結するジッパークロージャー要素を別々に引き離し、且つスライダー装置がジッパーに沿った第二の反対方向に移動される場合、連結するジッパークロージャー要素を連結するために構築される。幾つかの適用において、アクセスがジッパークロージャーに獲得されたかどうかを認知する、開封済であることを証明する構造又はシールが望ましい。これらのタイプのパッケージを改良することが必要とされる。
【０００４】
本開示は、開封済であることを証明するフレキシブルパッケージを創るためのフレキシブルパッケージを兼ね備える再密閉できるジッパーに関する。フレキシブルパッケージは、内部を定義する取り囲む壁と口を有するパッケージを含む。取り囲む壁は二つの相対するサイドパネルを含む。再密閉できるジッパーは、口に沿って、口の選択的な開口部及び閉鎖おいて供給される。再密閉できるジッパーはパッケージに取りつけられ、第一及び第二クロージャープロファイル間に延在するサイドパネルを備える第一及び第二クロージャープロファイルを含む。再密閉できるジッパーは、第一及び第二クロージャープロファイル間に位置する断裂領域を含む。断裂領域は第二サイドパネルの残存部分よりも弱い剪断強度を有する。
【０００５】
操作方法が記載される。方法は再密閉できるジッパーを備えるフレキシブルパッケージを提供する段階を含む。フレキシブルパッケージは、第一サイドパネルと第一サイドパネルに対する第二サイドパネルを含有する取り囲む壁を有する。再密閉できるジッパーは、パッケージの選択的な開口部及び閉鎖のために口に沿って、取りつけられる。再密閉できるジッパーは、第一及び第二クロージャー要素間に延在する第二サイドパネルを備える、第一及び第二クロージャー要素を含む。第二サイド要素は、第二サイドパネルの残存部分よりも弱い剪断強度を有する断裂領域を含む。さらに方法は断裂領域を通る段階を含む。
【０００６】
製造方法が開示される。方法は第一クロージャープロファイルと第二クロージャープロファイルを備えるジッパークロージャーを提供する段階を含む。第一サイドパネルは第一クロージャープロファイルに付される。第二サイドパネルは、開封済であることを証明する構造を提供するために第一クロージャープロファイルと第二クロージャープロファイルに付される。スライダー装置は、再密閉できるパッケージを提供するためにジッパークロージャーに取りつけられ操作可能である。スライダー装置が第一方向に移動する場合、スライダー装置は第二クロージャープロファイルで第一クロージャープロファイルと連結するために構成されて配置され、スライダー装置が第二反対方向に移動する場合、スライダー装置は第二クロージャープロファイルから第一クロージャープロファイルが解放されるために構成されて配置される。
【０００７】
フレキシブルで再密閉できるパッケージ
フレキシブルで再密閉できるパッケージ１０が図１及び２ａに示されている。
パッケージ１０は、内部１１（図２ａ）を定義する相対するサイドパネル１２と１４（図２ａ）を有し、サイドパネル１２と１４は一般的にポリマー状フィルムである。パッケージ１０は、相対するサイドエッジ１３、１５及びボトムエッジ１７を含む。第一サイドエッジ１３と第二サイドエッジ１５との間の距離はパッケージ１０の長さである。好ましくは、第一サイドエッジ１３と第二サイドエッジ１５の各々は、フィルムの単一シートが二つのサイドパネルを形成するように折りたたまれた場合に形成される、サイドパネル１２，１４間のヒートシールである。ボトムエッジ１７は、フィルムの単一ピースが折りたたまれる場合に形成される折りたたみラインとなるか、又はサイドパネル１２，１４に対する熱と圧力の適用によって造られるシールとなり得る。ボトムエッジ１７は、図２ａ及び図４ａに示されるＶカットを含むことができる。Ｖカットは“直立する”特徴を備えるパッケージを提供するために知られている。
【０００８】
この開示を通して、ボトムエッジ１７を有するパッケージサイドはパッケージの“底部”と呼ばれ、ジッパークロージャー２０を有するサイドはバックの“上部”と呼ばれるだろう。ボトムエッジ１７がジッパークロージャー２０より下に位置しないように、パッケージを適応させることができることが理解されるが、しかしながら、ジッパークロージャーでの上部のための基準は存続する。
【０００９】
口２１はパッケージの上部に沿ったパッケージ１０の内部１１へのアクセスを提供する。ジッパークロージャー２０は、パッケージ１０の口を開閉（未密封及び再密封）するためのつがい又はクロージャープロファイル２２，２４を有する。好ましくは、ジッパークロージャー２０は、パッケージ１０の長さに沿って延在する。好ましくは、ジッパークロージャー２０は、第一サイドエッジ１３から第二サイドエッジ１５まで延在する。好ましくは、数多の配置において、第一及び第二サイドエッジ１３、１５の各々において、クラッシュポイント２３，２５がある。クラッシュポイント２３，２５は、ジッパークロージャー２０がサイドパネル１２，１４に密封している場所である。ジッパークロージャー２０は、様々な形態及び構造を含むことができる。ジッパークロージャー２０は、周知の手法で形態化でき、それらの手法は、例えば、ここに参照として組み入れられている、米国特許４，２４０，２４１号、４，２４６，２８８号、及び４，４３７，２９３号明細書に開示されている。
【００１０】
ジッパークロージャー
ジッパークロージャー２０、図２ａ、図２ｂ、図３ａ、図４ａ、図５ａ、及び図５ｂは、パッケージ１０を開閉するために適切に噛み合い且つ解放する、第一クロージャープロファイル２２及び第二クロージャープロファイル２４を有する。ジッパークロージャー２０は、一般的に、口２１において第一サイドエッジ１３から第二サイドエッジ１５まで延在する（図１）。ジッパークロージャー２０の第一及び第二クロージャープロファイル２２，２４は、下記に詳細に記載されるシーリングフランジ２６，２８によって、サイドパネル１２，１４に対してそれぞれ付されている。シーリングフランジ２６，２８は、クロージャープロファイル２２，２４の第一端部５に位置している。末端のフランジ２７，２９は、クロージャープロファイル２２，２４の第二端部６に位置している。ジッパークロージャー２０は、好ましくは、ポリエチレン、ポリプロピレン、又はポリエチレン及びポリプロピレンの共重合体からなる。特に好ましい物質は、線形の低密度ポリエチレン、低密度ポリエチレン、及び、線形で低密度のポリエチレン／ポリプロピレン混合物である。好ましいアレンジにおいて、シーリングフランジ２６，２８は１乃至１０ｍｉｌの厚さで、好ましくは４乃至８ｍｉｌ間の厚さである。好ましいアレンジにおいて、末端のフランジ２７，２９は、１乃至１５ｍｉｌの厚さで、好ましくは４乃至１０ｍｉｌ間の厚さである。
【００１１】
取り付け配置
好ましい実施態様において、パッケージ１０は、特に好ましい手法でサイドパネル１２，１４にジッパークロージャー２０を固定するための取り付け配置を含む。図２ａに例示される特定の実施態様において、取り付け配置はシーリングフランジ２６，２８を利用する。一般的に、第一クロージャーシーリングフランジ２６は内部表面３４と外部表面３６を有する。第二クロージャーシーリングフランジ２８は内部表面３５と外部表面３７を有する。図２ａは、第一シーリングフランジ２６の内部表面３４に位置する第一シーリング層３２を示す。第二シーリング層３３は、第二シーリングフランジ２８の内部表面３５に位置される。第三のシーリング層３８は第一シーリングフランジ２６の内部表面３４に位置される。第三のシーリング層３８は、第一シーリング層３２から離れて、第一シーリング層３２と第一クロージャープロファイル２２の本体との間にある。非シーリング層３１は、第二クロージャーシーリングフランジ２８の内部表面３５に位置するかもしれない。非シーリング層３１は、好ましくは、第三のシーリング層３８とは反対方向に位置する。フレキシブルパッケージ１０の第一サイドパネルは第一シーリング層３２に付される。フレキシブルパッケージ１０の第二サイドパネル１４は、第二シーリング層３３と第三のシーリング層３８に付される。第二サイドパネル１４は、第一及び第二シーリングフランジ２４，２６間で延在し、第一及び第二シーリングフランジ２４，２６に付される。断裂領域は、第一及び第二シーリングフランジ２６，２８間に位置し、下記に記載される。この実施態様は、異なる高さのシーリングフランジ２６，２８で延在するサイドパネル１２，１４を有する。第一サイドパネル１２は第一シーリング層３２の上部に向かって延在する。対照的に、第二サイドパネル１４は第三のシーリング層３８の上部に向かって延在する。このようにして、第一シーリングフランジの第一シーリング層３２と第三のシーリング層３８との間のエリアは、シアーを補う（ｓｐａｎｎｉｎｇ　ｔｈｅ　ｓｅａｒ）サイドパネルを有しない。気密のシーリング物質が好ましくはポリマーのサイドパネル１２，１４に組み入れられるために、この種類の配置は、気密シールを必要としない応用において使用される。
【００１２】
対照的に、図３ａ及び５ａは第三シーリング層３８の上部に延在する第一サイドパネル１２を有する。この実施態様は、気密シールなどを必要とする応用において有用である。気密のシーリング物質はサイドパネル１２，１４に組み込むことができ、フレキシブルパッケージ１０の中身を完全に包囲できる。図３ａ及び５ａは、第一シーリングフランジ２６の内部表面３４に位置する第一シーリング層３２を示す。第二シーリング層３３は第二シーリングフランジ２８の内部表面３５に位置する。第三のシーリング層３８は第一シーリングフランジ２６の内部表面３４に位置する。第三のシーリング層３８は、第一シーリング層３２から離れており、第一シーリング層３２と第一クロージャープロファイル２２との間である。非シーリング層３１は第二クロージャーシーリングフランジ２８の内部表面３５に位置するかもしれない。非シーリング層３１は、好ましくは第三のシーリング層３８とは反対方向で位置する。フレキシブルパッケージ１０の第一サイドパネル１２は、第一シーリング層３２と第三のシーリング層３８に付される。フレキシブルパッケージ１０の第二サイドパネル１４は、第二シーリング層３３と第一シーリング層１２に付される。第二サイドパネル１４は、第一及び第二シーリングフランジ２６，２８間で延在し、第一及び第二シーリングフランジ２６，２８に付される。断裂領域は、第一及び第二シーリングフランジ２６，２８間に位置し、下記に記載される。
【００１３】
別の非気密の実施態様は、図４ａとして例示される。図４ａは、第一シーリングフランジ２６の外部表面３６に位置する第一シーリング層３２を示す。第二シーリング層３３は、第二シーリングフランジ２８の内部表面３５に位置する。第三のシーリング層３８は、第一シーリングフランジ２６の内部表面３４に位置する。第三のシーリング層３８は第一シーリング層３２からオフセットでき、第一シーリング層３２と第一クロージャープロファイル２２の本体との間にある。非シーリング層３１は第二クロージャーシーリングフランジ２８の内部表面３５に位置するかもしれない。非シーリング層３１は、好ましくは第三のシーリング層３８とは反対方向で位置する。フレキシブルパッケージ１０の第一サイドパネル１２は、第一シーリング層３２に付される。フレキシブルパッケージ１０の第二サイドパネル１４は、第二シーリング層３３と第三のシーリング層３８に付される。第二サイドパネル１４は、第一及び第二シーリングフランジ２６，２８間で延在し、第一及び第二シーリングフランジ２６，２８に付される。断裂領域は、第一及び第二シーリングフランジ２６，２８間に位置し、下記に記載される。
【００１４】
図５ａは、第一及び第二クロージャープロファイル２２，２４の末端端部６間に延在するウェブ配置５１を示す。ウェブ配置５１の詳細は下記に議論される。図２ａ及び図３ａは、ジッパークロージャー２０に取り付けされたスライダー装置４０を備えるジッパークロージャー２０を示す。スライダー装置４０はジッパークロージャー２０を開閉するために提供される。好ましくは、スライダー装置４０は、移動可能できない部分を備える成形されたプラスチック要素である、一つの単一体である。
【００１５】
第一、第二、及び第三のシーリング層３２，３３，３８はシーリングフランジ２６，２８の溶融温度よりも低い温度で容易く結合される。シーリング層３２，３３，３８は、好ましくは低密度のポリエチレンとエチレン酢酸ビニルとの混合物である。この混合物は密封剤を好ましくは９０℃乃至１１５℃の範囲の融点を備える密封剤を提供することによって低密度のポリエチレンよりも低い温度でシールすることを可能にする。
第一及び第二シーリング層３２，３３は、お互いに反対方向であるか、又はオフセットできる。例えば、第一シーリング層３２は、第二シーリングフランジ２８の第二シーリング層３３よりも第一シーリングフランジ２６の低いポイントに位置できるか、又はその逆である。シーリング層３２，３３はまた、異なる幅を有するかもしれない。第三のシーリング層３８は、第二シーリング層３３からオフセットである。オフセットのシーリング層は各サイドに関連のあるオフセットであるために熱を密封することを可能にする。このように、シーリングフランジの内部表面３４，３５は、内部表面３４，３５を共に結合するために十分な温度に到達しないかもしれない。
【００１６】
非シーリング層３１は第二クロージャーシープロファイルのリングフランジ２８の内部表面３５に位置するかもしれない。非シーリング層３１は、好ましくは第三のシーリング層３８とは反対方向で位置する。
【００１７】
非シーリング層３１は、他の物質とは容易く結合しない。非シーリング層３１は、熱抵抗（又は絶縁）物質から構成される。非シーリング層３１は、第一及び第二シーリング層３２，３３にポリマー状サイドパネル１２，１４が付加するヒートシーリング工程中に、シーリングフランジ３４，３５の内部表面が共に結合しないことを保証する。非シーリング層３１、並びに第一、第二、及び第三のシーリング層３２，３３，３８は、クロージャープロファイル２０で共同に押し出しできる。
【００１８】
内部表面３４，３５が結合することを防ぐための別のアプローチは、シーリングフランジ２６，２８の厚さを増加することである。より厚いシーリングフランジ２６，２８は、内部表面３４，３５が互いに結合することからのシーリングフランジ２６，２８の内部表面３４，３５を容認するほど十分に高い温度を得ることを防ぐだろう。
【００１９】
開封済であることを証明する構造
パッケージ１０は、第一及び第二クロージャープロファイル２２，２４間に位置するか、又は第一及び第二クロージャープロファイル２２，２４と接合する、少なくとも一つ、且つ、幾つかの配置においては一つ以上の開封済であることを証明する構造５０，５１を含む。“開封済であることを証明する”により、パッケージ１０が以前に開かれたかどうかを消費者に提示を供給することが意味される。パッケージ１０の内部１１にアクセスするために、開封済であることを証明する構造５０に食い込む必要がある。換言すると、開封済であることを証明する構造５０は、パッケージ内部１１へのバリアとして作用し、且つパッケージ内部１１へのアクセスを防御する。開封済であることを証明する構造５０は、ジッパークロージャー２０とパッケージ内部１１との間に位置するために、“内部の”　開封済であることを証明する構造と考えられる。開封済であることを証明する構造５１は、ジッパークロージャー２０とパッケージ外部との間に位置するために、“外部の”　開封済であることを証明する構造と考えられる。開封済であることを証明する構造５１は、バリアとして作用し、且つジッパークロージャー２０へのアクセスを防御する。
【００２０】
図２ａ乃至図５ｂのパッケージ１０において、例示されている特定の開封済であることを証明する構造５０は、内部のウェブ又はメンブラン構造或いは配置５０を形成するシーリングフランジ２６，２８の内部表面３４，３５に付された第二サイドパネル１４である。この開封済であることを証明する構造５０は、第一及び第二クロージャープロファイル２２，２４のシーリングフランジ２６，２８間に位置する断裂領域５２を含む。開封済であることを証明する構造がウェブ要素５１（図５ａ参照）である場合の外部の開封済であることを証明する構造５１を備える実施態様において、ウェブ要素５１及び末端のフランジ２７，２９は、末端のフランジ２７，２９及びウェブ要素５１が接する場合の認識可能な境界を有するかもしれない。
【００２１】
好ましい開封済であることを証明する構造５０、５１は、特別に弱い断裂領域５２，５３である。この断裂領域５２，５３は、断裂領域５２，５３の続く食い込みの残存する部分の厚さに関連する、穿孔されたライン、スコアライン、マイクロカット、又は薄いラインの形態となるかもしれない。
【００２２】
外部の開封済であることを証明する構造５１は、開封済であることを証明する構造５０と同様であるか、又は第一クロージャープロファイル２２と第二クロージャープロファイル２４を接合するウェブ配置５１の形態であるかもしれない。このウェブ配置５１は、ウェブ配置５１を横切って間隔が置かれる、複数の断裂領域５３を含むかもしれない。“間隔が置かれる”により、断裂領域が、お互いから一定間隔の距離で、且つ末端のフランジ間でウェブ配置５１に沿って断続的に位置することを意味する。各断裂領域は、ウェブ配置５１の続く食い込みの残存する部分よりも弱い剪断強度を有する。“剪断強度”により、作用が実行される部分上で力の程度がそれて適用されることが意味される。この力の作用は、それらの面の接触と平行な方向へお互いに関してスライドするウェブ配置５１の２つの接触する部分を引き起こすか又は引き起こす傾向がある。残存する部分に関する断裂領域の弱い剪断強度は、内部及び外部の開封済であることを証明する構造５０、５１の食い込みを容認し、フレキシブルパッケージの完全な状態が危険にさらされる際に可視できる示唆を提供する。
【００２３】
断裂領域５２，５３は、ウェブ配置５１と第二サイドパネル１４の残存部分の物質とは異なる物質を含むかもしれない。断裂１１領域５２，５３は、ウェブ配置５１と第二サイドパネル１４の残存部分の物質と同様であるかもしれないが、しかしそれよりも薄い。何れの実施態様は、ウェブ配置５１と第二サイドパネル１４の残存部分の物質の剪断強度よりも弱い剪断強度を備える断裂領域５２，５３を提供する。
【００２４】
断裂領域５２，５３は、ウェブ配置５０、５１の残存部分とは異なる物質を含むかもしれない。残存部分の物質は、第一及び第二クロージャープロファイル２２，２４を生成するために使用される同一物質となり得る。断裂領域５２，５３の物質は、平面又は管の突起ダイの何れかのクロージャープロファイルで共同押し出すことができる。
【００２５】
好ましくは、ウェブ配置５０、５１の残存部分の物質は、低密度ポリエチレン、線形の低密度ポリエチレン、エチレン酢酸ビニル及びそれらの混合物からなるグループから選択されるポリマーである。好ましくは、断裂領域５２，５３の物質は、ポリプロピレン、ポリブチレン、ポリエステルナイロン、高分子量で高密度のポリエチレン、高密度のポリエチレン及びそれらの混合物からなるグループから選択されるポリマーである。
【００２６】
第一及び第二サイドパネル１２，１４は、所望のフィルムバリアの特徴に依存する複数の層を有するかもしれない。複数の層を備えて、好ましくは異なる物質の２つの層を有するが、しかし、所望の適用に依存して異なる物質の３つ以上の層を有するかもしれない。ある層は、例えば、ナイロン又はＳａｒａｎ（登録商標）などの物質からなる気密のバリア層として機能するかもしれない。
【００２７】
断裂領域５２は、第二サイドパネル１４の厚さよりも薄い厚さを有するかもしれない。好ましくは、断裂領域５２は、第二サイドパネル１４の残存部分に対する断裂領域５２の比が約１：１．５乃至１：１０且つ好ましくは約１：２乃至１：５である厚さを有する。断裂領域５２の厚さは、約０．５乃至２ｍｉｌとなり得る。第二サイドパネル１４の厚さは、約４乃至１０ｍｉｌとなり得る。外部の開封済であることを証明する構造５１は、断裂領域５４の部分が残存部分よりも薄い場合に単一の断裂領域５３を有するかもしれない。
【００２８】
再度図１、図２ａ、及び図３ａを参照するに、ジッパークロージャー２０を容易に開閉するためにジッパークロージャー２０に取りつけられた、任意のスライダー装置４０がある。スライダー装置４０、及びジッパークロージャーを開閉するためにどのように機能するかは、一般的には、ここに参照として組み入れられる、例えば、米国特許５，０６３，６４４号；５，３０１，３９４号；及び５，４４２，８３７号に教示されている。好ましいスライダー装置４０は、ここに参照として組み入れられている、１９９９年７月３０日に出願された、米国出願０９／３６５，２１５及び２９／１０８，６５７に教示されている。ノッチ４２は、パッケージ１０内の第二エッジ１５に隣接するジッパークロージャー２０内に位置される。ノッチ４２は、ジッパークロージャー２０がシールされ、スライダー装置４０が第二エッジ１５にある場合に、停止しているスライダー装置４０に“パークプレイス”を提供するために設計される。かかるノッチ４２は、第一クロージャープロファイル２２と第二クロージャープロファイル２４との間の不完全な連結におけるどんな傾向も減少させるかもしれない。
【００２９】
使用方法
図２ａ及び２ｂ、３ａ及び３ｂ、４ａ及び４ｂの実施態様を用いる、再び密封できるフレキシブルパッケージ１０を開くために、使用者は第一クロージャープロファイル２２と第二クロージャープロファイル２４を握り、クロージャープロファイル２２，２４がお互いから解放され、ウェブ配置５２をさらすように、第一クロージャープロファイル２２と第二クロージャープロファイル２４を引き離す。第二サイドパネル１４は第一及び第二シーリングフランジ２６，２８間で延在し、パッケージ内部１１へのアクセスを防御する。次ぎに、消費者は断裂領域５２に食い込む。フレキシブルパッケージ１０は、再度密封できるジッパークロージャー２０を再度シールして利用できる。特に、使用者は第一及び第二クロージャープロファイル２２，２４を握り、クロージャープロファイル２２，２４が相補的に噛み合うように、開口位置から閉じる位置まで移動する。任意に、ジッパークロージャー２０に取りつけられたスライダー装置４０は、ジッパークロージャー２０に沿って第一位置から第二位置まで移動するので、スライダー装置４０はジッパークロージャー２０の開閉を容易にする。
【００３０】
第一及び第二クロージャープロファイル２２，２４が第二ウェブ配置５３を含む場合の図５ａ及び５ｂに描写されるような実施態様において、第一及び第二クロージャープロファイル２２，２４を解放する作用に先立つか、又はその作用中に使用者は第二ウェブ配置５３に食い込む。任意に、ジッパークロージャー２０に取りつけられたスライダー装置４０は、スライダー装置４０がジッパークロージャー２０に沿って第一位置から第二位置まで移動するので、第二ウェブ要素５３の食い込みを容易にする。第二ウェブ配置５３の破損後、前述に記載のように、第一及び第二クロージャープロファイル２２，２４は解放され、第一ウェブ配置５２はさらされて破損される。図２ｂ、３ｂ、４ｂ、及び５ｂは、開封済であることを証明する構造を備える再密閉できるパッケージが破かれたことを例示する。
【００３１】
製造方法
スライダー装置を備える再密閉できるパッケージ１０を構築するために、パッケージ１０は、膨張突起工程によるか、又はフィルムの事前形成済ロールを使用する何れかによって形成されるかもしれない。フィルムは図１に示される形態で折りたたまれる。ジッパークロージャー２０は第一クロージャープロファイル２２と第二クロージャープロファイル２４を有する。第一クロージャープロファイル２２は、フレキシブルなバックの第一サイドパネル１２に適用されるかもしれない。第二サイドパネル１４は、開封済であることを証明する構造５０を提供する第一クロージャープロファイル２２と第二クロージャープロファイル２４の両者に適用されるかもしれない。スライダー装置４０は、再密閉できるパッケージ１０を提供するためにジッパークロージャー２０上に任意で取りつけられるかもしれない。スライダー装置４０が第一方向に移動する場合に、スライダー装置４０は第一クロージャープロファイル２２と第二クロージャープロファイル２４が連結するために構築され、配置される。スライダー装置４０が第二反対方向に移動する場合に、スライダー装置４０は第二クロージャープロファイル２４から第一クロージャープロファイル２２を解放するために構築され、配置される。
【００３２】
ここまでに記載した明細は、本発明の特定の実施態様の製造及び使用の完全な記載を提供するものと信じている。本発明の多くの実施態様は、本発明の趣旨及び範囲を逸脱しない限り可能である。
【図面の簡単な説明】
【図１】
フレキシブルで再密閉できるパッケージの斜視図である。
【図２ａ】
図１の線２に沿って得られる、図１の描写と同様に、フレキシブルで再密閉できるパッケージを概略する断面図である。
【図２ｂ】
図１の線２に沿って得られる、図１の描写と同様に、破かれた開封済であることを証明する構造を備えるフレキシブルで再密閉できるパッケージを概略する断面図である。
【図３ａ】
図２ａのパッケージ図と類似する、第二実施態様のフレキシブルで再密閉できるパッケージを概略する断面図である。
【図３ｂ】
図２ｂのパッケージ図と類似する、第二実施態様の破かれた開封済であることを証明する構造を備えるフレキシブルで再密閉できるパッケージを概略する断面図である。
【図４ａ】
図２ａのパッケージ図と類似する、第三実施態様のフレキシブルで再密閉できるパッケージを概略する断面図である。
【図４ｂ】
図２ｂのパッケージ図と類似する、第二実施態様の破かれた開封済であることを証明する構造を備えるフレキシブルで再密閉できるパッケージを概略する断面図である。
【図５ａ】
図２ａのパッケージ図と類似する、第四実施態様のフレキシブルで再密閉できるパッケージを概略する断面図である。
【図５ｂ】
図２ｂのパッケージ図と類似する、第二実施態様の破かれた開封済であることを証明する構造を備えるフレキシブルで再密閉できるパッケージを概略する断面図である。
【図２ａ】
2004503440.tif 000003
【図２ｂ】
2004503440.tif 000004
【国際公開パンフレット】
2004503440.tif 000005
2004503440.tif 000006
2004503440.tif 000007
2004503440.tif 000008
2004503440.tif 000009
2004503440.tif 000010
2004503440.tif 000011
2004503440.tif 000012
2004503440.tif 000013
2004503440.tif 000014
2004503440.tif 000015
2004503440.tif 000016
2004503440.tif 000017
2004503440.tif 000018
2004503440.tif 000019
2004503440.tif 000020
2004503440.tif 000021
2004503440.tif 000022
2004503440.tif 000023
2004503440.tif 000024
2004503440.tif 000025
2004503440.tif 000026
2004503440.tif 000027
2004503440.tif 000028
2004503440.tif 000029
2004503440.tif 000030
【国際公開パンフレット（コレクトバージョン）】
2004503440.tif 000031
2004503440.tif 000032
2004503440.tif 000033
2004503440.tif 000034
2004503440.tif 000035
2004503440.tif 000036
2004503440.tif 000037
2004503440.tif 000038
2004503440.tif 000039
2004503440.tif 000040
2004503440.tif 000041
2004503440.tif 000042
2004503440.tif 000043
2004503440.tif 000044
2004503440.tif 000045
2004503440.tif 000046
2004503440.tif 000047
2004503440.tif 000048
2004503440.tif 000049
2004503440.tif 000050
2004503440.tif 000051
2004503440.tif 000052
2004503440.tif 000053
2004503440.tif 000054
2004503440.tif 000055
2004503440.tif 000056
【国際調査報告】
2004503440.tif 000057
2004503440.tif 000058
2004503440.tif 000059